(57)【要約】【課題】  塗布部に軸を設けかつ塗布部が変形するのを防止して塗りやすくかつ使いやすい化粧具を提供する。【解決手段】  軸状又は棒状の柄１０の一方側端部に塗布部１２を一体成形したものであり、柄１０の一方側端の塗布部１２の表面には固形化粧料１４を層状又は膜状に成形している。【選択図】図１
2014014668.tif 000002
【特許請求の範囲】
【請求項１】
柄と塗布部が一体となった化粧具であって、
塗布部の周囲に化粧料が被膜されていることを特徴とする化粧具。
【請求項２】
塗布部は、硬質材料であることを特徴とする請求項１に記載の化粧具。
【請求項３】
化粧料の塗布可能量は、１〜２ｍｇであることを特徴とする請求項１又は２に記載の化粧具。
【請求項４】
化粧料は、油性成分１０〜７０質量％、樹脂成分０〜３０質量％、粉体（顔料）成分５〜５０質量％からなることを特徴とする請求項１から３のいずれか１項に記載の化粧具。
【発明の詳細な説明】
【技術分野】
【０００１】
本発明は顔や体等の肌に化粧料を適量塗ることでき、使い捨てができ手軽な化粧具に関する。
【背景技術】
【０００２】
顔や肌等に化粧料を塗る化粧具は、従来から種々に実用化や提案がされている。
【０００３】
例えば特開２０１０-４６２９９号公報(：特許文献１）には、柄と異なる芯体にスポンジ性被覆体で被覆した顔用軸付チップであって、使用の際に、肌面に化粧料を塗布する際に、塗布時にチップが捩れるのを基芯で防止して、肌面に化粧料の塗布を容易にした顔用軸付チップが開示されている。
【０００４】
また、特開２０１１−１４３１３７号公報(：特許文献２）には、柄を設けた塗布部の先端の端縁部を直線状又は平面状にした化粧用チップが開示されている。
また、実開平２−１１２２１１号公報(：特許文献３）には、塗布体が、弾性力を有する芯材とその表面を覆ったウレタンフォームの表皮とから構成されている化粧用塗布具が開示されている。
【０００５】
また、特開２００３−２７５１２５号公報(：特許文献４）には、軸体の表面に繊維が熱融着で植設された所定形状の繊維集塊体の化粧料塗布具が開示されている。
【０００６】
また、特開２００５−３３４０９４号公報(：特許文献５）には、軸部材に設けたブラシ状の塗布部が開示されている。
【先行技術文献】
【特許文献】
【０００７】
【特許文献１】特開２０１０-４６２９９号公報
【特許文献２】特開２０１１−１４３１３７号公報
【特許文献３】実開平２−１１２２１１号公報
【特許文献４】特開２００３−２７５１２５号公報
【特許文献５】特開２００５−３３４０９４号公報
【発明の概要】
【発明が解決しようとする課題】
【０００８】
しかしながら、上記の特許文献１〜５記載の塗布具には、共に塗布部が比較的軟質な塗布部であるため、顔に塗布するには塗布部が変形してしまい、うまく塗布することができないという問題があった。
【０００９】
本発明は、上記問題に鑑み、塗布部に軸を設けかつ塗布部が変形するのを防止して塗りやすくかつ使いやすい化粧具を提供する。
【課題を解決するための手段】
【００１０】
本発明は、柄と塗布部が一体となった化粧具であって、
塗布部の周囲に化粧料が被膜されていることを特徴とする化粧具である。
【００１１】
本発明において、塗布部は、硬質材料であることが好適である。ここで挙げる硬質材料とはアルミ、ステンレス等の金属材料、ポリプロピレン、ＡＢＳ、ポリスチレン等の樹脂材料等、塗布時において安易に塑性変形しない材料を示す。
【００１２】
また、本発明において、化粧料の塗布可能量は、１〜２ｍｇであることが好適である。
【００１３】
また、本発明において、化粧料は、油性成分１０〜７０質量％、樹脂成分０〜３０質量％、粉体（顔料）成分５〜５０質量％からなることが好適である。
【００１４】
なお、本発明において、化粧料は、７０℃〜１００℃に加温することで溶解するものであることが好適である。
【発明の効果】
【００１５】
化粧具において、通常のフェイスペイントの原料は化粧料では無い（石鹸など）ので肌への安全性が担保されにくい。また、フェイスペイントが石鹸ベースだと汗で流れて見苦しくなる場合がある。
【００１６】
そこで、本発明において、塗布部に被覆する化粧料は石鹸ベースのもので無いものであることが好ましく、これによって肌への安全性が担保され、汗で流れにくく、使い勝手が良い。
【００１７】
また、安価にするためと塗布時における塗布部の強度を確保するため、柄の一方に設けた塗布部の周囲に必要量の化粧料を被覆した簡単な構造としている。また、肌に塗り易い柔らかい化粧料とすることもできる。
【００１８】
塗布部の周囲に化粧料を被覆してなる簡単な構成及び工程であり、化粧料は多色展開が容易に可能となる。
【００１９】
小型であるため、多くの色の化粧具を持ち運ぶことができる。
【００２０】
また、柄の形状は任意であり、把持部に意匠を凝らすことも可能となる。
【００２１】
また、塗布部も略球体である必要はなく、柄全体が薄いものでも良い。
【００２２】
小型の使い捨て構造のため、使い終わったら処分でき、衛生的である。
【図面の簡単な説明】
【００２３】
【図１】本発明の第１実施形態に係る化粧具の説明図で、（ａ）が先端方向から見た図、（ｂ）が側面視図、（ｃ）が縦断面図、（ｄ）が後端方向から見た図である。
【図２】本発明の第２実施形態に係る化粧具の説明図で、（ａ）が先端方向から見た図、（ｂ）が側面視図、（ｃ）が縦断面図、（ｄ）が後端方向から見た図である。
【図３】本発明の第３実施形態に係る化粧具の説明図で、（ａ）が先端方向から見た図、（ｂ）が側面視図、（ｃ）が縦断面図、（ｄ）が後端方向から見た図である。
【図４】本発明の第４実施形態に係る化粧具の説明図で、（ａ）が先端方向から見た図、（ｂ）が側面視図、（ｃ）が縦断面図、（ｄ）が後端方向から見た図である。
【図５】本発明の第５実施形態に係る化粧具の説明図で、（ａ）が先端方向から見た図、（ｂ）が側面視図、（ｃ）が縦断面図、（ｄ）が後端方向から見た図である。
【図６】本発明の第６実施形態に係る化粧具の説明図で、（ａ）が先端方向から見た図、（ｂ）が側面視図、（ｃ）が縦断面図、（ｄ）が後端方向から見た図である。
【図７】本発明の第７実施形態に係る化粧具の説明図で、（ａ）が先端方向から見た図、（ｂ）が側面視図、（ｃ）が縦断面図、（ｄ）が後端方向から見た図である。
【図８】本発明の第８実施形態に係る化粧具の説明図で、（ａ）が先端方向から見た図、（ｂ）が側面視図、（ｃ）が縦断面図、（ｄ）が後端方向から見た図である。
【図９】本発明の第９実施形態に係る化粧具の説明図で、（ａ）が先端方向から見た図、（ｂ）が側面視図、（ｃ）が縦断面図、（ｄ）が後端方向から見た図である。
【図１０】本発明の第１０実施形態に係る化粧具の説明図で、（ａ）が先端方向から見た図、（ｂ）が側面視図、（ｃ）が縦断面図、（ｄ）が後端方向から見た図である。
【発明を実施するための形態】
【００２４】
以下、本発明の実施形態について添付図面を参照して説明する。
【００２５】
図１〜図１０は第１実施形態〜第１０実施形態に係る各化粧具を示し、それぞれの図の（ａ）が先端方向から見た図、（ｂ）が側面視図、（ｃ）が縦断面図、（ｄ）が後端方向から見た図である。
【００２６】
（１）図１〜図１０に示すように、第１実施形態〜第１０実施形態に係る化粧具は、軸状又は棒状の柄１０の一方側端部に塗布部１２を一体成形したものである。
【００２７】
柄１０の一方側端の塗布部１２の表面には固形化粧料（化粧料の例）１４を層状又は膜状に成形している。固形化粧料は通常は単層であるが、必要に応じて多層構造（下地材と化粧材としたり、別の色の化粧材を重ねたり等）とすることができる。
【００２８】
塗布部１２は、顔や手足等の肌に固形化粧料１４を塗りやすくするため適宜寸法の球形を呈している。
【００２９】
（２）前記固形化粧料１４は、ディッピング（塗布部１２を化粧液に浸けて引上げて乾燥させる）や流し込みで成形する。
【００３０】
また、固形化粧料１４は、図１の第１実施形態、図４〜図１０の第４〜第１０実施形態のように、塗布部１２の外周面全体から柄１０の先端側の一部にかけて乗せて被覆成形する。
【００３１】
（３）ただ、図１の化粧具は、使用時において、塗布部１２の柄１０に近い側は塗れない又は塗り難いときがある。
【００３２】
これに対して、図２の第２実施形態のように、塗布部１２において最初からその部分１２ａには、固形化粧料１４を乗せないか、図３の第３実施形態のように、塗布部１２に凸部１２ｂを設けておいて、固形化粧料１４を凸部１２ｂ以外の塗布部１２表面に乗せて固形化粧料１４の表面の外径と凸部１２ｂの外径を合わせて外観上の統一を図るようにしても良い。
【００３３】
（４）いずれも実施形態でも、塗布部１２や柄１０は樹脂製とし、射出成形、ブロー成形でも良い。なお、柄１０は金属によって構成しても良い。
【００３４】
（５）柄１０の樹脂は、硬いもの（ＰＰ、ＡＢＳ・・・）でもエラストマーでも良い。
【００３５】
（６）柄１０は塗布部と一体で成形しても、別体で成形して塗布部と組み合わせて固定しても良い。
【００３６】
図１〜図３の第１実施形態〜第３実施形態、図７〜図１０に示す第７実施形態〜第１０形態では、柄１０から塗布部１２の全体にわたって、各図の（ｃ）に示すように、樹脂材を用いて一体かつ中実に成形している。
【００３７】
一方、図４に示す第４実施形態では、塗布部１２の一部に嵌め込み用凹部１２ｃを設けて略球形に形成し、棒状の柄１０をその嵌め込み用凹部１２ｃに嵌入又は樹脂接着、圧着、熱接着するなどして一体化するようにしても良い。
【００３８】
また、図５に示す第５実施形態では、塗布部１２から柄１０を中空に形成し、縦断して開いた状態で成型し、それら同士を閉じて柄１０と塗布部１２を組み立て、内部に空間のある状態にする。
【００３９】
なお、閉じた部分を固定するため、凸部１６ａと凹部１６ｂとを塗布部１２内面に形成して、ヒンジ１６ｃから折り曲げて凸部１６ａと凹部１６ｂとを嵌合して固定する構造にできる。
【００４０】
また、図６に示す第６実施形態のように、柄１０の端部から空気を吹き込むブロー成形で塗布部１２から柄１０を中空に形成しても良い。
【００４１】
その他、使い勝手を考えて、各部を種々の構成とすることができる。
【００４２】
図７の第７実施形態のように、塗布部１２は球形であるが、柄１０を角型断面形状の構成とする。
【００４３】
また、図８の第８実施形態のように、柄１０の尾端に略円形等の滑り止め又は把持部１０ａを形成することができる。
【００４４】
また、塗布部１２の形状を球体で無い構成にできる。図９の第９実施形態のように、塗布部１２を楕円球体又は、先端部が砲弾状に形成することができる。
【００４５】
また、図１０の第１０実施形態のように、全体を薄板状に形成し、塗布部１２を円形に柄１０を平板状に形成することができる。
【００４６】
（７）各実施形態において、固形化粧料１４は樹脂等の硬質材料の塗布部１２に固着し、かつ肌への塗布が可能なものとする。
【００４７】
（８）固形化粧料１４の塗布可能量は顔に塗布する数回分とする。
【００４８】
例えば、塗布部１２の球の直径が１０ｍｍのときに化粧料１．３ｍｇを塗布可能量とする。
【００４９】
（９）固形化粧料１４を塗布する塗布対象部は通常、顔に描くもののため、塗布部１２又は化粧具全体が塗布時に変形しないことが望ましい。
【００５０】
（１０）固形化粧料１４は、油性成分１０〜７０質量％、樹脂成分０〜３０質量％、粉体(顔料)成分５〜５０質量％を含み、例えば、７０℃〜１００℃に加温することで溶解し、棒に適量を付着(ディッピング)することが可能となり、付着後は冷却することで速やかに固まり室温では固体となる。
【００５１】
（１１）固形化粧料１４は、油性成分を９０℃〜１２０℃程度で加熱溶解後、樹脂成分、粉体成分を加え均一に混合し、さらに加温し、脱泡を行うことにより調製することができる。
【００５２】
（１２）固形化粧料の各成分は、次の判断基準１．〜３．で決定することができる。
１．固形化粧料の油性成分：使用感、経時安定性付与、固形化粧料の成形。
２．樹脂成分：顔料の分散、化粧持ち効果付与。
３．粉体成分：着色、感触調整。
上記判断基準で決定された汎用の油性成分、樹脂成分、粉体成分の中から選ばれる各種成分を組み合わせることにより、好適な固形化粧料を調製することができる。
【００５３】
上記第１実施形態〜第１０実施形態の化粧具について、塗布部１２の球の直径を１２ｍｍとし、柄１０の太さ４ｍｍ、化粧具全体の長さを４０ｍｍとし、固形化粧料（バルク）１４の厚みを約０．４ｍｍとし、固形化粧料付着量を０．２ｇとしたものを製造した。
【００５４】
また、塗布した固形化粧料１４は、それぞれ黄色、赤色、白色の三色（化粧料１〜３）とし、以下の表１の配合組成とした。この三色の化粧料１〜３をそれぞれ上記第１実施形態〜第１０実施形態の各化粧具に用いた（３０本）。
【００５５】
【表１】
2014014668.tif 000003
【００５６】
本発明では、この各実施形態の各化粧具１本で５人程度の顔を塗りつぶせた。この場合、塗布部１２の球の上半分を使い切ったが、使い捨て用途としては十分な量といえる。
【００５７】
以上説明したとおり、本実施形態では、塗布部に被覆する化粧料は石鹸ベースのもので無いので、肌への安全性が担保され、汗で流れにくく、使い勝手が良い。
【００５８】
また、安価にするため、柄１０の一方に設けた塗布部１２の周囲に必要量の固形化粧料１４を乗せる簡単な構造とし、安価なものにすることができる。逆に、塗布部１２の全体を固形化粧料とした塊にしてしまうと高価になってしまう。
【００５９】
塗布部１２の周囲に固形化粧料１４を乗せる構造であり、固形化粧料１４を乗せる工程が簡易であるので、工程負荷が少なくなる。したがって、各色の化粧料について化粧具を製作することが簡易に行えるので、このような固形化粧料１４を多色に展開することが容易に可能となる。
【００６０】
また、化粧具全体として小型であるため、多くの色の化粧具を持ち運ぶことができる。
更に、柄１０の形状は任意であり、把持部に意匠を凝らすことも可能となる。
【００６１】
更にまた、塗布部１２は球形であるので、溶かした化粧料に塗布部１２を浸ければほぼ均一な球状に固まるという、簡単な工程によってできる。これに対して、図１０の第１０実施形態のように塗布部１２が棒状や扇形形状であると化粧料の厚みが均一になりにくい。したがって、塗布部１２は球体であることが好ましい。
【００６２】
ただし、塗布部１２も略球体である必要はなく、図１０の第１０実施形態のように、塗布部１２が柄１０と共に全体が薄いものでも良い。
【００６３】
化粧具は、小型の使い捨て構造のため、使い終わったら処分でき、衛生的である。
【００６４】
なお、上記実施形態では本発明を実施するのに好適な例を述べたが、本発明はこれに限定されず、種々に変形実施できる。例えば、塗布部の周囲に被膜成形した化粧料は必ずしも固形であることに限定されず、塗布部から脱落しない程度の粘度であれば、リキッド状やゲル状の化粧料であっても良い。
【産業上の利用可能性】
【００６５】
本発明の化粧具は、フェイスペイント等の化粧具に利用することができる。
【符号の説明】
【００６６】
１０  柄
１０ａ  把持部（第８実施形態）
１２  塗布部
１２ａ  化粧料を乗せない部分（第２実施形態）
１２ｂ  化粧料の乗らせない凸部（第３実施形態）
１２ｃ  嵌め込み用凹部（第４実施形態）
１４  固形化粧料
１６ａ  固定用の凸部（第５実施形態）
１６ｂ  固定用の凹部（第５実施形態）
１６ｃ  ヒンジ（第５実施形態）
【図１】
2014014668.tif 000004
【図２】
2014014668.tif 000005
【図３】
2014014668.tif 000006
【図４】
2014014668.tif 000007
【図５】
2014014668.tif 000008
【図６】
2014014668.tif 000009
【図７】
2014014668.tif 000010
【図８】
2014014668.tif 000011
【図９】
2014014668.tif 000012
【図１０】
2014014668.tif 000013